【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
端末とサーバからなり、特に前記端末における進捗状況を管理するための進捗管理システムであって、前記サーバは、
素材情報を格納する素材情報格納手段と、前記端末において前記素材情報が処理された結果生成された生成情報を格納する生成情報格納手段とを有することにより、前記素材情報と前記生成情報とからなる製作情報を格納する製作情報格納手段と、
前記端末が前記製作情報格納手段にアクセスすることに基づいて、前記端末における進捗状況情報を管理する進捗状況管理手段と、
を有し、
前記進捗状況管理手段は、前記端末が前記製作情報格納手段から前記素材情報を取得したとき、もしくは前記端末が前記生成情報を前記製作情報格納手段へ格納したとき、前記端末に関する前記進捗状況情報を更新すること、
を特徴とする進捗管理システム。
【請求項２】
前記製作情報格納手段は、前記製作情報毎に前記素材情報格納手段および生成情報格納手段を有すること、を特徴とする請求項１に記載の進捗管理システム。
【請求項３】
前記進捗状況管理手段は、
前記製作情報格納手段にアクセスする前記端末それぞれについての識別情報を格納する端末識別情報格納手段と、
前記端末がそれぞれ前記制作情報格納手段にアクセスした時間情報を格納するアクセス時間情報格納手段と、
を有し、
前記進捗状況管理手段は、前記端末識別情報と前記アクセス時間情報とから前記進捗状況情報を作成すること、を特徴とする請求項１の進捗管理システム。
【請求項４】
前記進捗状況管理手段は、
さらに前記端末が取得した前記素材情報についての素材情報取得情報を格納する素材情報取得情報格納手段と、
前記端末が格納した前記生成情報についての生成情報格納情報を格納する生成情報格納情報格納手段と、
を有し、
前記進捗状況管理手段は、前記素材情報取得情報および前記生成情報格納情報とを加えて前記進捗状況情報を作成すること、を特徴とする請求項３の進捗管理システム。
【請求項５】
端末における進捗状況を管理するための進捗管理システムのサーバであって、
素材情報を格納する素材情報格納手段と、前記端末において前記素材情報が処理された結果生成された生成情報を格納する生成情報格納手段とを有することにより、前記素材情報と前記生成情報とからなる製作情報を格納する製作情報格納手段と、
前記端末が前記製作情報格納手段にアクセスすることに基づいて、前記端末における進捗状況情報を管理する進捗状況管理手段と、
を有し、
前記進捗状況管理手段は、前記端末が前記製作情報格納手段にアクセスすることに基づいて前記端末に関する前記進捗状況情報を更新すること、を特徴とする進捗管理システムのサーバ。
【請求項６】
請求項５に記載のサーバをコンピュータで実現するためのプログラムが格納された記録媒体。
【請求項７】
請求項５に記載のサーバをコンピュータで実現するためのプログラム。
【手続補正２】
【補正対象書類名】明細書
【補正対象項目名】０００７
【補正方法】変更
【補正の内容】
【０００７】
【課題を解決するための手段】かかる課題を解決する為に、請求項１に係わる発明は、端末とサーバからなり、特に前記端末における進捗状況を管理するための進捗管理システムであって、前記サーバは、素材情報を格納する素材情報格納手段と、前記端末において前記素材情報が処理された結果生成された生成情報を格納する生成情報格納手段とを有することにより、前記素材情報と前記生成情報とからなる製作情報を格納する製作情報格納手段と、前記端末が前記製作情報格納手段にアクセスすることに基づいて、前記端末における進捗状況情報を管理する進捗状況管理手段と、を有し、前記進捗状況管理手段は、前記端末が前記製作情報格納手段から前記素材情報を取得したとき、もしくは前記端末が前記生成情報を前記製作情報格納手段へ格納したとき、前記端末に関する前記進捗状況情報を更新すること、を特徴としている。


【手続補正３】
【補正対象書類名】明細書
【補正対象項目名】０００８
【補正方法】変更
【補正の内容】
【０００８】
請求項１に記載の進捗管理システムは、サーバが、素材情報と端末において素材情報が処理された結果生成された生成情報とからなる製作情報を格納する製作情報格納手段と、端末が前記製作情報格納手段にアクセスすることに基づいて、該端末における進捗状況を管理する進捗状況管理手段を備えている。端末が、サーバの製作情報格納手段にアクセスして、素材情報格納手段から素材情報を取得したとき、進捗状況管理手段は端末に関する進捗状況情報を更新するので、端末が素材情報を取得したことを判別することができる。また、端末が、サーバの製作情報格納手段にアクセスして、生成情報格納手段に生成情報を格納した時、進捗状況管理手段は端末に関する進捗状況情報を更新するので、端末が生成情報を格納したことを判別することができる。これにより、端末が素材情報を取得した時点すなわち作業開始時間と、端末が生成情報を格納した時点すなわち作業終了時間とを、進捗状況情報として管理することができるので、人手を介さずとも端末における進捗状況を管理することができ、外注作業についての進捗管理を行うことができる。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
更に請求項２に係る発明は、請求項１に記載の進捗管理システムであって、前記製作情報格納手段は、前記製作情報毎に前記素材情報格納手段および生成情報格納手段を有すること、を特徴としている。


【手続補正７】
【補正対象書類名】明細書
【補正対象項目名】００１２
【補正方法】変更
【補正の内容】
【００１２】
請求項２に記載の進捗管理システムは、製作情報格納手段が製作情報毎に素材情報格納手段および生成情報格納手段を有しているため、個々の製作情報毎に端末の進捗状況を管理することができるので、人手を介さずとも端末における進捗状況を管理することができ、外注作業についての進捗管理を行うことができる。


【手続補正８】
【補正対象書類名】明細書
【補正対象項目名】００１３
【補正方法】変更
【補正の内容】
【００１３】
また請求項３に係る発明は、請求項１に記載の進捗管理システムであって、前記進捗状況管理手段は、前記製作情報格納手段にアクセスする前記端末それぞれについての識別情報を格納する端末識別情報格納手段と、前記端末がそれぞれ前記制作情報格納手段にアクセスした時間情報を格納するアクセス時間情報格納手段と、を有し、前記進捗状況管理手段は、前記端末識別情報と前記アクセス時間情報とから前記進捗状況情報を作成すること、を特徴としている。


【手続補正９】
【補正対象書類名】明細書
【補正対象項目名】００１４
【補正方法】変更
【補正の内容】
【００１４】
請求項３に記載の進捗管理システムは、複数の端末を識別するための端末識別情報格納手段と、複数の端末それぞれが製作情報格納手段にアクセスした時間情報を格納するアクセス時間情報格納手段とを、進捗状況管理手段が備えている。これにより、進捗状況管理手段は、サーバにアクセスする複数の端末を識別することができ、また、それぞれの端末がサーバにアクセスした時間情報を格納するので、複数の端末について進捗状況を管理することができる。したがって、複数の端末がサーバにアクセスする場合についても、人手を介さずとも端末における進捗状況を管理することができ、外注作業についての進捗管理を行うことができる。


【手続補正１０】
【補正対象書類名】明細書
【補正対象項目名】００１５
【補正方法】変更
【補正の内容】
【００１５】
請求項４に係る発明では、請求項３に記載の進捗管理システムであって、前記進捗状況管理手段は、さらに前記端末が取得した前記素材情報についての素材情報取得情報を格納する素材情報取得情報格納手段と、前記端末が格納した前記生成情報についての生成情報格納情報を格納する生成情報格納情報格納手段と、を有し、前記進捗状況管理手段は、前記素材情報取得情報および前記生成情報格納情報とを加えて前記進捗状況情報を作成すること、を特徴としている。


【手続補正１１】
【補正対象書類名】明細書
【補正対象項目名】００１６
【補正方法】変更
【補正の内容】
【００１６】
請求項４に記載の進捗管理システムは、端末が取得した素材情報についての素材情報取得情報を格納する素材情報取得情報格納手段と、端末が格納した生成情報についての生成情報格納情報を格納する生成情報格納情報格納手段とを、進捗状況管理手段が備えているので、端末が取得した素材情報および格納した生成情報についても進捗状況を管理することができる。したがって、人手を介さずとも端末における進捗状況を管理することができ、外注作業についての進捗管理を行うことができる。


【手続補正１２】
【補正対象書類名】明細書
【補正対象項目名】００１７
【補正方法】変更
【補正の内容】
【００１７】
加えて請求項５に係る発明では、端末における進捗状況を管理するための進捗管理システムのサーバであって、素材情報を格納する素材情報格納手段と、前記端末において前記素材情報が処理された結果生成された生成情報を格納する生成情報格納手段とを有することにより、前記素材情報と前記生成情報とからなる製作情報を格納する製作情報格納手段と、前記端末が前記製作情報格納手段にアクセスすることに基づいて、前記端末における進捗状況情報を管理する進捗状況管理手段と、を有し、前記進捗状況管理手段は、前記端末が前記製作情報格納手段にアクセスすることに基づいて前記端末に関する前記進捗状況情報を更新すること、を特徴としている。


【手続補正１３】
【補正対象書類名】明細書
【補正対象項目名】００１８
【補正方法】変更
【補正の内容】
【００１８】
請求項５に記載のサーバは、素材情報と端末において素材情報が処理された結果生成された生成情報とからなる製作情報を格納する製作情報格納手段と、端末が前記製作情報格納手段にアクセスすることに基づいて、該端末における進捗状況を管理する進捗状況管理手段を備えている。端末が、サーバの製作情報格納手段にアクセスして、素材情報格納手段から素材情報を取得したとき、進捗状況管理手段は端末に関する進捗状況情報を更新するので、端末が素材情報を取得したことを判別することができる。また、端末が、サーバの製作情報格納手段にアクセスして、生成情報格納手段に生成情報を格納した時、進捗状況管理手段は端末に関する進捗状況情報を更新するので、端末が生成情報を格納したことを判別することができる。これにより、端末が素材情報を取得した時点すなわち作業開始時間と、端末が生成情報を格納した時点すなわち作業終了時間とを、進捗状況情報として管理することができるので、人手を介さずとも端末における進捗状況を管理することができ、外注作業についての進捗管理を行うことができる。


【手続補正１４】
【補正対象書類名】明細書
【補正対象項目名】００１９
【補正方法】変更
【補正の内容】
【００１９】
また、請求項６に係わる発明は、請求項５に記載のサーバをコンピュータで実現するためのプログラムが格納された記録媒体である。


【手続補正１５】
【補正対象書類名】明細書
【補正対象項目名】００２０
【補正方法】変更
【補正の内容】
【００２０】
請求項６に記録媒体は、コンピュータ読取可能なので、一般的に使用されているコンピュータで、請求項５に記載したサーバを実現することができ、人手を介さずとも端末における進捗状況を管理することができ、外注作業についての進捗管理を行うことができる。


【手続補正１６】
【補正対象書類名】明細書
【補正対象項目名】００２１
【補正方法】変更
【補正の内容】
【００２１】
さらに、請求項７に係わる発明は、請求項５に記載のサーバをコンピュータで実現するためのプログラムである。


【手続補正１７】
【補正対象書類名】明細書
【補正対象項目名】００２２
【補正方法】変更
【補正の内容】
【００２２】
請求項７に記載のプログラムは、一般的に使用されているコンピュータで、請求項５に記載したサーバを実現することができ、人手を介さずとも端末における進捗状況を管理することができ、外注作業についての進捗管理を行うことができる。